(57)【特許請求の範囲】
【請求項１】
送信装置において情報ビツトを所定の情報単位毎に区分けすることによつて情報シンボル群を生成し、当該情報シンボル群を送信信号として送信したとき、当該送信信号を受信する通信端末装置において、
送信及び受信に使用される周波数チヤネルの送信時間及び周波数が所定時間間隔で順次切り換えられる場合の上記周波数チヤネルを通じて送信される制御情報からなる上記情報シンボル群を受信信号として上記周波数チヤネルを通じて受信する受信手段と、
上記受信信号を復調することにより上記制御情報を復元する復調手段と、
上記受信信号に含まれる位相旋回成分を検出するための比較基準となるリフアレンス情報を記憶するリフアレンス記憶手段と、
上記制御情報と上記リフアレンス情報とを比較することにより上記制御情報の信号成分から上記位相旋回成分を抽出する位相旋回成分抽出手段と、
上記制御信号の信号成分から上記位相旋回成分を取り除いた希望波信号成分のみを抽出する希望波信号成分抽出手段と、
上記位相旋回成分抽出手段によつて抽出された上記位相旋回成分に基づいて送受信タイミングの時間ずれを解消するタイムアライメントを行う送受信タイミング調整手段と、
上記希望波信号成分抽出手段によつて抽出された上記希望波信号成分の受信電力に基づいて、複数存在する上記送信装置の中から当該通信端末装置との通信回線を接続する上記送信装置を選択する選択手段と
を具え、
上記受信手段は、ユーザ情報からなる上記情報シンボル群及び上記制御情報からなる上記情報シンボル群が上記送信装置より同一の上記周波数チヤネルを介して時分割された送信タイミングで送信される上記送信信号を所定の受信タイミングで同期して受信し、上記ユーザ情報及び上記制御情報を時分割により取り出す
ことを特徴とする通信端末装置。
【請求項２】
上記受信手段は、
上記送信装置において上記情報シンボル群に対して差動変調処理を施すことにより生成されて送信される上記送信信号を上記受信信号として受信し、
上記復調手段は、当該受信信号に差動復調処理を施した後、上記情報シンボル群を抽出し、当該情報シンボル群から上記ユーザ情報及び上記制御情報を分けて取り出す
ことを特徴とする請求項１に記載の通信端末装置。
【請求項３】
上記受信手段は、
上記送信装置で上記情報シンボル群毎の送信に用いる上記周波数チヤネルを変更するときに上記周波数チヤネルに応じて受信する周波数チヤネルを変更する
ことを特徴とする請求項１に記載の通信端末装置。
【請求項４】
上記受信手段は、
上記送信装置からマルチキヤリア変調されて送信される上記情報シンボル群を受信する
ことを特徴とする請求項１に記載の通信端末装置。
【請求項５】
上記通信端末装置は、
上記希望波信号成分の電力を算出する電力算出手段
を具え、上記各周波数チヤネル毎に上記電力の測定を複数回行つて平均値を算出し、当該平均値を送信もとの上記送信装置に通知する
ことを特徴とする請求項１に記載の通信端末装置。
【請求項６】
情報ビツトを所定の情報単位毎に区分けすることによつて情報シンボル群を生成し、当該情報シンボル群を送信信号として送信する送信手段を有し、所定の通信エリアを所望の大きさに分割して形成される複数のセル毎に設けられる基地局と、当該基地局と通信する移動局とからなるセルラー無線通信システムにおいて、
上記移動局は、
送信及び受信に使用される周波数チヤネルの送信時間及び周波数が所定時間間隔で順次切り換えられる場合の上記周波数チヤネルを通じて送信される制御情報からなる上記情報シンボル群を受信信号として上記周波数チヤネルを通じて受信する受信手段と、
上記受信信号を復調することにより上記制御情報を復元する復調手段と、
上記受信信号に含まれる位相旋回成分を検出するための比較基準となるリフアレンス情報を記憶するリフアレンス記憶手段と、
上記制御情報と上記リフアレンス情報とを比較することにより上記制御情報の信号成分から上記位相旋回成分を抽出する位相旋回成分抽出手段と、
上記制御信号の信号成分から上記位相旋回成分を取り除いた希望波信号成分のみを抽出する希望波信号成分抽出手段と、
上記位相旋回成分抽出手段によつて抽出された上記位相旋回成分に基づいて送受信タイミングの時間ずれを解消するタイムアライメントを行う送受信タイミング調整手段と、
上記希望波信号成分抽出手段によつて抽出された上記希望波信号成分の受信電力に基づいて、複数存在する上記基地局の中から当該移動局との通信回線を接続する上記基地局を選択する選択手段と
を具え、
上記受信手段は、ユーザ情報からなる上記情報シンボル群及び上記制御情報からなる上記情報シンボル群が上記基地局より同一の上記周波数チヤネルを介して時分割された送信タイミングで送信される上記送信信号を所定の受信タイミングで同期して受信し、上記ユーザ情報及び上記制御情報を時分割により取り出す
ことを特徴とするセルラー無線通信システム。
【請求項７】
上記受信手段は、
上記基地局において上記情報シンボル群に対して差動変調処理を施すことにより生成されて送信される上記送信信号を上記受信信号として受信し、
上記復調手段は、当該受信信号に差動復調処理を施した後、上記情報シンボル群を抽出し、当該情報シンボル群から上記ユーザ情報及び上記制御情報を分けて取り出す
ことを特徴とする請求項６に記載のセルラー無線通信システム。
【請求項８】
上記受信手段は、
上記基地局で上記情報シンボル群毎の送信に用いる上記周波数チヤネルを変更するときに上記周波数チヤネルに応じて受信する周波数チヤネルを変更する
ことを特徴とする請求項６に記載のセルラー無線通信システム。
【請求項９】
上記受信手段は、
上記基地局からマルチキヤリア変調されて送信される上記情報シンボル群を受信する
ことを特徴とする請求項６に記載のセルラー無線通信システム。
【請求項１０】
上記通信端末装置は、
上記希望波信号成分の電力を算出する電力算出手段
を具え、上記各周波数チヤネル毎に上記電力の測定を複数回行つて平均値を算出し、当該平均値を送信もとの上記基地局に通知する
ことを特徴とする請求項６に記載のセルラー無線通信システム。
【請求項１１】
送信側において情報ビツトを所定の情報単位毎に区分けすることによつて情報シンボル群を生成し、当該情報シンボル群を送信信号として送信したとき、受信側において当該送信信号を受信する情報通信方法において、
上記受信側において、送信及び受信に使用される周波数チヤネルの送信時間及び周波数が所定時間間隔で順次切り換えられる場合の上記周波数チヤネルを通じて上記送信側より送信される制御情報からなる上記情報シンボル群を受信信号として上記周波数チヤネルを通じて受信する受信ステツプと、
上記受信信号を復調することにより上記制御情報を復元する復調ステツプと、
上記受信信号に含まれる位相旋回成分を検出するための比較基準となるリフアレンス情報と上記制御情報とを比較することにより上記制御情報の信号成分から上記位相旋回成分を抽出する位相旋回成分抽出ステツプと、
上記制御信号の信号成分から上記位相旋回成分を取り除いた希望波信号成分のみを抽出する希望波信号成分抽出ステツプと、
上記位相旋回成分抽出ステツプによつて抽出された上記位相旋回成分に基づいて送受信タイミングの時間ずれを解消するタイムアライメントを行う送受信タイミング調整ステツプと、
上記希望波信号成分抽出ステツプによつて抽出された上記希望波信号成分の受信電力に基づいて、複数存在する上記送信側の中から当該受信側との通信回線を接続する上記送信側を選択する選択ステツプと
を具え、
上記受信ステツプでは、ユーザ情報からなる上記情報シンボル群及び上記制御情報からなる上記情報シンボル群が上記送信側より同一の上記周波数チヤネルを介して時分割された送信タイミングで送信される上記送信信号を所定の受信タイミングで同期して受信し、上記ユーザ情報及び上記制御情報を時分割により取り出す
ことを特徴とする情報通信方法。
【請求項１２】
上記受信ステツプは、
上記送信側において上記情報シンボル群に対して差動変調処理を施すことにより生成されて送信される上記送信信号を上記受信信号として受信し、
上記復調ステツプは、当該受信信号に差動復調処理を施した後、上記情報シンボル群を抽出し、当該情報シンボル群から上記ユーザ情報及び上記制御情報を分けて取り出す
ことを特徴とする請求項１１に記載の情報通信方法。
【請求項１３】
上記受信ステツプは、
上記送信側で上記情報シンボル群毎の送信に用いる上記周波数チヤネルを変更するときに上記周波数チヤネルに応じて受信する周波数チヤネルを変更する
ことを特徴とする請求項１１に記載の情報通信方法。
【請求項１４】
上記受信ステツプは、
上記送信側でマルチキヤリア変調されて送信される上記情報シンボル群を受信する
ことを特徴とする請求項１１に記載の情報通信方法。
【請求項１５】
上記情報通信方法は、
上記希望波信号成分の電力を算出する電力算出ステツプ
を具え、上記各周波数チヤネル毎に上記電力の測定を複数回行つて平均値を算出し、当該平均値を送信もとの上記送信側に通知する
ことを特徴とする請求項１１に記載の情報通信方法。
【請求項１６】
送信装置において情報ビツトを所定の情報単位毎に区分けすることによつて情報シンボル群を生成し、当該情報シンボル群を送信信号として送信したとき、当該送信信号を受信する通信端末装置において、
送信及び受信に使用される周波数チヤネルの送信時間及び周波数が所定時間間隔で順次切り換えられる場合の上記周波数チヤネルを通じて送信される制御情報からなる上記情報シンボル群を受信信号として上記周波数チヤネルを通じて受信する受信手段と、
上記受信信号を復調することにより上記制御情報を復元する復調手段と、
上記受信信号に含まれる位相旋回成分を検出するための比較基準となるリフアレンス情報を記憶するリフアレンス記憶手段と、
上記制御情報と上記リフアレンス情報とを比較することにより上記制御情報の信号成分から上記位相旋回成分を抽出する位相旋回成分抽出手段と、
上記位相旋回成分抽出手段によつて抽出された位相旋回成分と、上記受信信号の位相旋回成分との相関値を算出することにより、位相旋回による雑音成分を考慮した受信電力を予測する相関値算出手段と、
上記位相旋回成分抽出手段によつて抽出された上記位相旋回成分に基づいて送受信タイミングの時間ずれを解消するタイムアライメントを行う送受信タイミング調整手段と、
上記相関値算出手段によつて予測された上記受信電力に基づいて、複数存在する上記送信装置の中から当該通信端末装置との通信回線を接続する上記送信装置を選択する選択手段と
を具え、
上記受信手段は、ユーザ情報からなる上記情報シンボル群及び上記制御情報からなる上記情報シンボル群が上記送信装置より同一の上記周波数チヤネルを介して時分割された送信タイミングで送信される上記送信信号を所定の受信タイミングで同期して受信し、上記ユーザ情報及び上記制御情報を時分割により取り出す
ことを特徴とする通信端末装置。
【請求項１７】
情報ビツトを所定の情報単位毎に区分けすることによつて情報シンボル群を生成し、当該情報シンボル群を送信信号として送信する送信手段を有し、所定の通信エリアを所望の大きさに分割して形成される複数のセル毎に設けられる基地局と、当該基地局と通信する移動局とからなるセルラー無線通信システムにおいて、
上記移動局は、
送信及び受信に使用される周波数チヤネルの送信時間及び周波数が所定時間間隔で順次切り換えられる場合の上記周波数チヤネルを通じて送信される制御情報からなる上記情報シンボル群を受信信号として上記周波数チヤネルを通じて受信する受信手段と、
上記受信信号を復調することにより上記制御情報を復元する復調手段と、
上記受信信号に含まれる位相旋回成分を検出するための比較基準となるリフアレンス情報を記憶するリフアレンス記憶手段と、
上記制御情報と上記リフアレンス情報とを比較することにより上記制御情報の信号成分から上記位相旋回成分を抽出する位相旋回成分抽出手段と、
上記位相旋回成分抽出手段によつて抽出された位相旋回成分と、上記受信信号の位相旋回成分との相関値を算出することにより、位相旋回による雑音成分を考慮した受信電力を予測する相関値算出手段と、
上記位相旋回成分抽出手段によつて抽出された上記位相旋回成分に基づいて送受信タイミングの時間ずれを解消するタイムアライメントを行う送受信タイミング調整手段と、
上記相関値算出手段によつて予測された上記受信電力に基づいて、複数存在する上記基地局の中から当該移動局との通信回線を接続する上記基地局を選択する選択手段と
を具え、
上記受信手段は、ユーザ情報からなる上記情報シンボル群及び上記制御情報からなる上記情報シンボル群が上記基地局より同一の上記周波数チヤネルを介して時分割された送信タイミングで送信される上記送信信号を所定の受信タイミングで同期して受信し、上記ユーザ情報及び上記制御情報を時分割により取り出す
ことを特徴とするセルラー無線通信システム。
【請求項１８】
送信側において情報ビツトを所定の情報単位毎に区分けすることによつて情報シンボル群を生成し、当該情報シンボル群を送信信号として送信したとき、受信側において当該送信信号を受信する情報通信方法において、
上記受信側において、送信及び受信に使用される周波数チヤネルの送信時間及び周波数が所定時間間隔で順次切り換えられる場合の上記周波数チヤネルを通じて上記送信側より送信される制御情報からなる上記情報シンボル群を受信信号として上記周波数チヤネルを通じて受信する受信ステツプと、
上記受信信号を復調することにより上記制御情報を復元する復調ステツプと、
上記受信信号に含まれる位相旋回成分を検出するための比較基準となるリフアレンス情報と上記制御情報とを比較することにより上記制御情報の信号成分から上記位相旋回成分を抽出する位相旋回成分抽出ステツプと、
上記位相旋回成分抽出ステツプによつて抽出された位相旋回成分と、上記受信信号の位相旋回成分との相関値を算出することにより、位相旋回による雑音成分を考慮した受信電力を予測する相関値算出ステツプと、
上記位相旋回成分抽出ステツプによつて抽出された上記位相旋回成分に基づいて送受信タイミングの時間ずれを解消するタイムアライメントを行う送受信タイミング調整ステツプと、
上記相関値算出ステツプによつて予測された上記受信電力に基づいて、複数存在する上記送信側の中から当該受信側との通信回線を接続する上記送信側を選択する選択手段と
を具え、
上記受信ステツプでは、ユーザ情報からなる上記情報シンボル群及び上記制御情報からなる上記情報シンボル群が上記送信側より同一の上記周波数チヤネルを介して時分割された送信タイミングで送信される上記送信信号を所定の受信タイミングで同期して受信し、上記ユーザ情報及び上記制御情報を時分割により取り出す
ことを特徴とする情報通信方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）第１の実施の形態
（１−１）無線通信システムの全体構成（図１及び図２）
（１−２）送信装置の構成（図３及び図４）
（１−３）受信装置の構成（図５）
（１−４）復調回路の構成（図６〜図８）
（１−５）第１の実施の形態の動作及び効果
（２）第２の実施の形態（図９及び図１０）
（２−１）第２の実施の形態の構成
（２−２）第２の実施の形態の動作及び効果
（３）他の実施の形態
発明の効果
【０００３】
【発明の属する技術分野】
本発明は通信端末装置及びセルラー無線通信システム並びに情報通信方法に関し、例えば携帯電話機の通信端末装置及びセルラー無線通信方法並びに情報無線通信システムに適用して好適なものである。
【０００４】
【従来の技術】
従来、セルラー無線通信システムにおいては、通信サービスを提供するエリア内を所望の大きさのセルに分割して当該セル内にそれぞれ固定局としての基地局を設置し、移動局としての通信端末装置は通信状態が最も良好であると思われる基地局と無線通信するようになされている。その際、通信端末装置と基地局との間の通信方式としては種々の方式が提案されているが、代表的なものとしてTDMA（Time Division Multiple Access ）方式と呼ばれる時分割多元接続方式がある。
【０００５】
TDMA方式は、１つの周波数チヤネルを時分割してタイムスロツトを形成し、自局に割り当てられたタイムスロツトのタイミングで送信信号を送信するようになされた方式であり、同一周波数チヤネルで複数の通信（いわゆる多重通信）を実現して周波数を効率的に使用するようになされた方式である。
【０００６】
セルラー無線通信システムにおいては、サービスエリアを複数のセルに分割してそれぞれのセルに基地局を配置し、移動局がサービスエリア内を移動する場合、サービスエリア内の位置であればどのセルの基地局とでも無線通信し得るようになされている。この場合、移動局がこのセルラー無線通信システムのサービスエリア内で通信する場合には、移動局はこれらの基地局のうち最も通信状態が良好であると思われる基地局を選び、無線回線を接続していた基地局から移動先の基地局へ無線回線の接続を切り換えるいわゆるハンドオフを行い、新たにその基地局と無線回線を接続して同期し、音声信号等のユーザ情報を通信するようになされている。このようなハンドオフを行うことにより、移動局が移動した場合でも、順次基地局を切り換えて行くことによつて良好な通信状態を継続することができる。
【０００７】
実際、ハンドオフを行うためには、通信中であつても、常に「移動局がどの基地局と接続するべきか」を模索している必要がある。一般に、セルラー無線通信システムにおいては、移動局が、各基地局から送信される制御チヤネル（以下、これをコントロールチヤネルと呼ぶ）の信号を受信してその受信電力をそれぞれ測定し、受信電力が最も大きい基地局をハンドオフ先の基地局候補として決めるようになされており、移動局主体でハンドオフ先の基地局候補を決めるようになされている。
【０００８】
因に、実際にハンドオフを行うか否かの決定権は基地局側に委ねられており、ハンドオフの流れとしては、「移動局がハンドオフ先の候補を探し、この結果に従つて基地局がハンドオフを実行する」といつた形式になつている。すなわち基地局は、現在通信中の通信端末装置からの受信電力が不足していないかどうかを常時監視しており、受信電力の不足により満足な通信品質が得られなくなつた場合には、その移動局を他の基地局にハンドオフすることを決定する。その際、基地局は、その移動局から通告されるハンドオフ先候補の基地局に対してハンドオフを実行するようになされている。因みに、移動局において、基地局からの受信電力が低下したため、当該移動局からハンドオフを要求する場合もある。但し、この場合も、ハンドオフするか否かは最終的に基地局側で決めるようになつている。
【０００９】
【発明が解決しようとする課題】
ところで図１１に示すように、TDMA方式のセルラー無線通信システムにおいて時分割されたコントロールチヤネルＣＣＨの送信時間及び周波数のタイムスロツトが各基地局に対してそれぞれ専用に割り当てられている場合には、移動局は所望の基地局のコントロールチヤネルＣＣＨを受信してコントロールチヤネル信号の受信電力を測定することによつて、当該受信電力より容易にパスロス（いわゆる伝送路損失）等の受信状態を測定することができる。
【００１０】
ところが図１２に示すように、TDMA方式のセルラー無線通信システムにおいて各基地局のコントロールチヤネルＣＣＨのタイムスロツトの送信時間及び周波数が各基地局毎に専用に割り当てられていない場合、例えば受信を選択した基地局のコントロールチヤネルＣＣＨ１と同じ周波数チヤネルに他の基地局のトラフイツクチヤネル（いわゆるユーザ情報チヤネル）ＴＣＨの信号波（例えばトラフイツクチヤネルＴＣＨ１）がコントロールチヤネルＣＣＨ１に対する強い干渉波となつて現れる。このような場合、選択したコントロールチヤネルＣＣＨ１の受信電力を測定しても受信電力は干渉波によつて雑音成分を含んでいるために基地局からのコントロールチヤネル信号の正確な受信電力を測定することはできず、パスロスの測定が困難となる問題がある。
【００１１】
本発明は以上の点を考慮してなされたもので、受信するコントロールチヤネル信号から干渉波の影響を除いて送受信間の受信状態を高い精度で測定し得る通信端末装置及びセルラー無線通信システム並びに情報通信方法を提案しようとするものである。
【００１２】
【課題を解決するための手段】
かかる課題を解決するため本発明の通信端末装置においては、送信装置において情報ビツトを所定の情報単位毎に区分けすることによつて情報シンボル群を生成し、当該情報シンボル群を送信信号として送信したとき、当該送信信号を受信する通信端末装置において、送信及び受信に使用される周波数チヤネルの送信時間及び周波数が所定時間間隔で順次切り換えられる場合の周波数チヤネルを通じて送信される制御情報からなる情報シンボル群を受信信号として周波数チヤネルを通じて受信する受信手段と、受信信号を復調することにより制御情報を復元する復調手段と、受信信号に含まれる位相旋回成分を検出するための比較基準となるリフアレンス情報を記憶するリフアレンス記憶手段と、制御情報とリフアレンス情報とを比較することにより制御情報の信号成分から位相旋回成分を抽出する位相旋回成分抽出手段と、制御信号の信号成分から位相旋回成分を取り除いた希望波信号成分のみを抽出する希望波信号成分抽出手段と、位相旋回成分抽出手段によつて抽出された位相旋回成分に基づいて送受信タイミングの時間ずれを解消するタイムアライメントを行う送受信タイミング調整手段と、希望波信号成分抽出手段によつて抽出された希望波信号成分の受信電力に基づいて、複数存在する送信装置の中から当該通信端末装置との通信回線を接続する送信装置を選択する選択手段とを具え、受信手段は、ユーザ情報からなる情報シンボル群及び制御情報からなる情報シンボル群が送信装置より同一の周波数チヤネルを介して時分割された送信タイミングで送信される送信信号を所定の受信タイミングで同期して受信し、ユーザ情報及び制御情報を時分割により取り出すようにしたことにより、送信装置から送信される制御情報の周波数チヤネルの送信時間及び周波数が各送信装置毎に専用に割り当てられていない通信環境の場合に、受信信号に含まれる位相旋回成分に基づいて送信装置と受信装置との間における送受信タイミングの調整を図ると共に、希望波成分だけの受信電力に基づいて通信接続先とする送信装置を高精度かつ的確に選択することができるので、当該選択した通信接続先の送信装置との間で良好な通信状態を維持することができる。
本発明の通信端末装置においては、送信装置において情報ビツトを所定の情報単位毎に区分けすることによつて情報シンボル群を生成し、当該情報シンボル群を送信信号として送信したとき、当該送信信号を受信する通信端末装置において、送信及び受信に使用される周波数チヤネルの送信時間及び周波数が所定時間間隔で順次切り換えられる場合の周波数チヤネルを通じて送信される制御情報からなる情報シンボル群を受信信号として周波数チヤネルを通じて受信する受信手段と、受信信号を復調することにより制御情報を復元する復調手段と、受信信号に含まれる位相旋回成分を検出するための比較基準となるリフアレンス情報を記憶するリフアレンス記憶手段と、制御情報とリフアレンス情報とを比較することにより制御情報の信号成分から位相旋回成分を抽出する位相旋回成分抽出手段と、当該位相旋回成分抽出手段によつて抽出された位相旋回成分と、受信信号の位相旋回成分との相関値を算出することにより、位相旋回による雑音成分を考慮した受信電力を予測する相関値算出手段と、位相旋回成分抽出手段によつて抽出された位相旋回成分に基づいて送受信タイミングの時間ずれを解消するタイムアライメントを行う送受信タイミング調整手段と、相関値算出手段によつて予測された受信電力に基づいて、複数存在する送信装置の中から当該通信端末装置との通信回線を接続する送信装置を選択する選択手段とを具え、受信手段は、ユーザ情報からなる情報シンボル群及び制御情報からなる情報シンボル群が送信装置より同一の周波数チヤネルを介して時分割された送信タイミングで送信される送信信号を所定の受信タイミングで同期して受信し、ユーザ情報及び制御情報を時分割により取り出すようにしたことにより、送信装置から送信される制御情報の周波数チヤネルの送信時間及び周波数が各送信装置毎に専用に割り当てられていない通信環境の場合に、受信信号に含まれる位相旋回成分に基づいて送信装置と受信装置との間における送受信タイミングの調整を図ると共に、相関算出により予測した位相旋回による雑音成分を考慮した受信電力に基づいて通信接続先とする送信装置を高精度かつ簡易に選択することができるので、当該選択した通信接続先の送信装置との間で良好な通信状態を維持することができる。
【００１３】
また本発明のセルラー無線通信システムにおいては、情報ビツトを所定の情報単位毎に区分けすることによつて情報シンボル群を生成し、当該情報シンボル群を送信信号として送信する送信手段を有し、所定の通信エリアを所望の大きさに分割して形成される複数のセル毎に設けられる基地局と、当該基地局と通信する移動局とからなるセルラー無線通信システムにおいて、移動局は、送信及び受信に使用される周波数チヤネルの送信時間及び周波数が所定時間間隔で順次切り換えられる場合の周波数チヤネルを通じて送信される制御情報からなる情報シンボル群を受信信号として周波数チヤネルを通じて受信する受信手段と、受信信号を復調することにより制御情報を復元する復調手段と、受信信号に含まれる位相旋回成分を検出するための比較基準となるリフアレンス情報を記憶するリフアレンス記憶手段と、制御情報とリフアレンス情報とを比較することにより制御情報の信号成分から位相旋回成分を抽出する位相旋回成分抽出手段と、制御信号の信号成分から位相旋回成分を取り除いた希望波信号成分のみを抽出する希望波信号成分抽出手段と、位相旋回成分抽出手段によつて抽出された位相旋回成分に基づいて送受信タイミングの時間ずれを解消するタイムアライメントを行う送受信タイミング調整手段と、希望波信号成分抽出手段によつて抽出された希望波信号成分の受信電力に基づいて、複数存在する基地局の中から当該移動局との通信回線を接続する基地局を選択する選択手段とを具え、受信手段は、ユーザ情報からなる情報シンボル群及び制御情報からなる情報シンボル群が基地局より同一の周波数チヤネルを介して時分割された送信タイミングで送信される送信信号を所定の受信タイミングで同期して受信し、ユーザ情報及び制御情報を時分割により取り出すようにしたことにより、基地局から送信される制御情報の周波数チヤネルの送信時間及び周波数が各基地局毎に専用に割り当てられていない通信環境の場合に、受信信号に含まれる位相旋回成分に基づいて基地局と移動局との間における送受信タイミングの調整を図ると共に、希望波成分だけの受信電力に基づいて通信接続先とする基地局を高精度かつ的確に選択することができるので、当該選択した通信接続先の基地局との間で良好な通信状態を維持することができる。
また本発明のセルラー無線通信システムにおいては、情報ビツトを所定の情報単位毎に区分けすることによつて情報シンボル群を生成し、当該情報シンボル群を送信信号として送信する送信手段を有し、所定の通信エリアを所望の大きさに分割して形成される複数のセル毎に設けられる基地局と、当該基地局と通信する移動局とからなるセルラー無線通信システムにおいて、移動局は、送信及び受信に使用される周波数チヤネルの送信時間及び周波数が所定時間間隔で順次切り換えられる場合の周波数チヤネルを通じて送信される制御情報からなる情報シンボル群を受信信号として周波数チヤネルを通じて受信する受信手段と、受信信号を復調することにより制御情報を復元する復調手段と、受信信号に含まれる位相旋回成分を検出するための比較基準となるリフアレンス情報を記憶するリフアレンス記憶手段と、制御情報とリフアレンス情報とを比較することにより制御情報の信号成分から位相旋回成分を抽出する位相旋回成分抽出手段と、当該位相旋回成分抽出手段によつて抽出された位相旋回成分と、受信信号の位相旋回成分との相関値を算出することにより、位相旋回による雑音成分を考慮した受信電力を予測する相関値算出手段と、位相旋回成分抽出手段によつて抽出された位相旋回成分に基づいて送受信タイミングの時間ずれを解消するタイムアライメントを行う送受信タイミング調整手段と、相関値算出手段によつて予測された受信電力に基づいて、複数存在する基地局の中から当該移動局との通信回線を接続する基地局を選択する選択手段とを具え、受信手段は、ユーザ情報からなる情報シンボル群及び制御情報からなる情報シンボル群が基地局より同一の周波数チヤネルを介して時分割された送信タイミングで送信される送信信号を所定の受信タイミングで同期して受信し、ユーザ情報及び制御情報を時分割により取り出すようにしたことにより、基地局から送信される制御情報の周波数チヤネルの送信時間及び周波数が各基地局毎に専用に割り当てられていない通信環境の場合に、受信信号に含まれる位相旋回成分に基づいて基地局と移動局との間における送受信タイミングの調整を図ると共に、相関算出により予測した位相旋回による雑音成分を考慮した受信電力に基づいて通信接続先とする基地局を高精度かつ簡易に選択することができるので、当該選択した通信接続先の基地局との間で良好な通信状態を維持することができる。
【００１４】
さらに本発明の情報通信方法においては、送信側において情報ビツトを所定の情報単位毎に区分けすることによつて情報シンボル群を生成し、当該情報シンボル群を送信信号として送信したとき、受信側において当該送信信号を受信する情報通信方法において、受信側において、送信及び受信に使用される周波数チヤネルの送信時間及び周波数が所定時間間隔で順次切り換えられる場合の周波数チヤネルを通じて送信側より送信される制御情報からなる情報シンボル群を受信信号として周波数チヤネルを通じて受信する受信ステツプと、受信信号を復調することにより制御情報を復元する復調ステツプと、受信信号に含まれる位相旋回成分を検出するための比較基準となるリフアレンス情報と制御情報とを比較することにより制御情報の信号成分から位相旋回成分を抽出する位相旋回成分抽出ステツプと、制御信号の信号成分から位相旋回成分を取り除いた希望波信号成分のみを抽出する希望波信号成分抽出ステツプと、位相旋回成分抽出ステツプによつて抽出された位相旋回成分に基づいて送受信タイミングの時間ずれを解消するタイムアライメントを行う送受信タイミング調整ステツプと、希望波信号成分抽出ステツプによつて抽出された希望波信号成分の受信電力に基づいて、複数存在する送信側の中から当該受信側との通信回線を接続する上記送信側を選択する選択ステツプとを具え、受信ステツプでは、ユーザ情報からなる情報シンボル群及び制御情報からなる情報シンボル群が送信側より同一の周波数チヤネルを介して時分割された送信タイミングで送信される送信信号を所定の受信タイミングで同期して受信し、ユーザ情報及び制御情報を時分割により取り出すようにしたことにより、送信側から送信される制御情報の周波数チヤネルの送信時間及び周波数が各送信側毎に専用に割り当てられていない通信環境の場合に、受信信号に含まれる位相旋回成分に基づいて送信側と受信側との間における送受信タイミングの調整を図ると共に、希望波成分だけの受信電力に基づいて通信接続先とする送信側を高精度かつ的確に選択することができるので、当該選択した通信接続先の送信側との間で良好な通信状態を維持することができる。
さらに本発明の情報通信方法においては、送信側において情報ビツトを所定の情報単位毎に区分けすることによつて情報シンボル群を生成し、当該情報シンボル群を送信信号として送信したとき、受信側において当該送信信号を受信する情報通信方法において、受信側において、送信及び受信に使用される周波数チヤネルの送信時間及び周波数が所定時間間隔で順次切り換えられる場合の周波数チヤネルを通じて送信側より送信される制御情報からなる情報シンボル群を受信信号として周波数チヤネルを通じて受信する受信ステツプと、受信信号を復調することにより制御情報を復元する復調ステツプと、受信信号に含まれる位相旋回成分を検出するための比較基準となるリフアレンス情報と制御情報とを比較することにより制御情報の信号成分から位相旋回成分を抽出する位相旋回成分抽出ステツプと、当該位相旋回成分抽出ステツプによつて抽出された位相旋回成分と、受信信号の位相旋回成分との相関値を算出することにより、位相旋回による雑音成分を考慮した受信電力を予測する相関値算出ステツプと、位相旋回成分抽出ステツプによつて抽出された位相旋回成分に基づいて送受信タイミングの時間ずれを解消するタイムアライメントを行う送受信タイミング調整ステツプと、相関値算出ステツプによつて予測された受信電力に基づいて、複数存在する送信側の中から当該受信側との通信回線を接続する送信側を選択する選択手段とを具え、受信ステツプでは、ユーザ情報からなる情報シンボル群及び制御情報からなる情報シンボル群が送信側より同一の上記周波数チヤネルを介して時分割された送信タイミングで送信される送信信号を所定の受信タイミングで同期して受信し、ユーザ情報及び制御情報を時分割により取り出すようにしたことにより、送信側から送信される制御情報の周波数チヤネルの送信時間及び周波数が各送信側毎に専用に割り当てられていない通信環境の場合に、受信信号に含まれる位相旋回成分に基づいて送信側と受信側との間における送受信タイミングの調整を図ると共に、相関算出により予測した位相旋回による雑音成分を考慮した受信電力に基づいて通信接続先とする送信側を高精度かつ簡易に選択することができるので、当該選択した通信接続先の送信側との間で良好な通信状態を維持することができる。
【００１５】
【発明の実施の形態】
以下図面について、本発明の一実施の形態を詳述する。
【００１６】
（１）第１の実施の形態
（１−１）無線通信システムの全体構成
図１及び図２において、１は全体として本発明を適用した例えば携帯電話のセルラー無線通信システムを示し、このセルラー無線通信システムにおいても、通信サービスを提供するエリアを所望の大きさのセルＣＬ１及びＣＬ２に分割して、当該セル内にそれぞれ固定局としての基地局装置２Ａ及び２Ｂを設置し、移動局としての携帯電話機３は通信状態が最も良好であると思われる基地局と無線通信するようになされている。
【００１７】
またこのセルラー無線通信システム１０においては、単にTDMA方式によつて基地局２Ａ又は２Ｂと携帯電話機３との間で通信するのではなく、送信及び受信に使用する通信チヤネル（以下、これをトラフイツクチヤネルと呼ぶ）の周波数をスロツト毎に順次切り換えて行くことにより、いわゆる周波数ホツピングを行うようになされている。これにより常に同一チヤネル干渉を受けることを回避して、干渉波によつて通信が妨害されることを未然に回避し得るようになされている。
【００１８】
また一般にこの種の無線システムにおいては、所望の通信を行うとき、良好な通信状態を保つために基地局２Ａ、２Ｂ及び携帯電話機３において互いに受信電力（又は受信信号の品質）を監視しており、その監視結果を逆に通知し合うことによつてフイードバツクループを形成し、これによつて携帯電話機３の最適なハンドオフ先の基地局を選択するようになされている。
【００１９】
すなわちセルラー無線通信システム１において、移動局である携帯電話機３がサービスエリア内を移動すると、逐次基地局との間のパスロスが変化する。例えば携帯電話機３が基地局２Ａと通信中に移動すると、基地局２Ａとのパスロスが逐次変化して行くので、送信電力の変更が生じると共に、良好な通信を維持し得ない程にパスロスが大きくなつた場合には当然通信中の基地局２Ａから他の基地局に対してハンドオフする必要が生じる。
【００２０】
図２に示すように、基地局装置２（２Ａ及び２Ｂ）は所定の周波数チヤネルを使用して携帯電話機３に向けて情報ビツト系列を送信する送信装置４と、所定の周波数チヤネルを使用して携帯電話機３から送信された情報ビツト系列を受信する受信装置５と、これら送信装置４及び受信装置５の動作を制御する制御装置６とによつて構成される。同様に、携帯電話機３は、所定の周波数チヤネルを使用して基地局装置２に向けて情報ビツト系列を送信する送信装置７と、所定の周波数チヤネルを使用して基地局装置２から送信された情報ビツト系列を受信する受信装置８と、これら送信装置７及び受信装置８の動作を制御する制御装置９とによつて構成される。
【００２１】
この無線通信システム１の場合、基地局装置２と携帯電話機３との間の通信に使用される周波数チヤネルは複数用意されており、基地局装置２から携帯電話機３への通信及び携帯電話機３から基地局装置２への通信でその中の任意の１対の周波数チヤネルを時分割で使用するようになされている。この場合、各周波数チヤネルは、例えば24本のサブキヤリアによつて構成されており、通信時には、送信する情報ビツト系列をこのサブキヤリアに分散させて重畳し、いわゆるマルチキヤリア通信を行うようになされている。その際、この無線通信システム１の場合には、送信する情報ビツト系列をスロツト単位に区分けし、そのスロツト単位に区分けされた情報ビツト系列を上述したサブキヤリアに分散させて重畳するようになされている。
【００２２】
ここで基地局装置２及び携帯電話機３に搭載されている送信装置４、７と、受信装置５、８について以下に具体的に説明する。但し、送信装置４と送信装置７は同じ構成を有していると共に、受信装置５と受信装置８は同じ構成を有しているので、ここでは送信装置４と受信装置８について説明する。
【００２３】
（１−２）送信装置の構成
まずこの項目では、基地局装置２に設けられる送信装置４の構成について説明する。図３に示すように、送信装置４は大きく分けて変調回路１０、逆高速フーリエ変換回路（ＩＦＦＴ）１１、信号繰返し回路１２、送信回路１３及びアンテナ１４によつて構成されている。
【００２４】
因に送信装置４はトラフイツクチヤネル信号ＳTCH 及びコントロールチヤネル信号ＳCCH をそれぞれ送信することができるが、ここでは、時分割で受信電力を測定するための情報を含むコントロールチヤネル信号ＳCCH を送信するときのコントロールチヤネル信号の処理の仕方について説明する。
【００２５】
まず送信装置４においては、タイムスロツトによつて時分割されたコントロールチヤネル信号ＳCCH の符号化ビツト群Ｓ１が所定の送信タイミングで変調回路１０に入力される。
【００２６】
変調回路１０は、入力される符号化ビツト群Ｓ１に対して非同期検波系の例えばＤＱＰＳＫ変調（Difference Quadrature Phase Shift Keying) いわゆる差動４相位相変調処理を施す。
【００２７】
この無線通信システム１においては、各タイムスロツトを時間分割で送信すると共に、１つの周波数チヤネルを例えば24本のサブキヤリアによつて構成するようになされており、通信時には、送信する情報ビツト系列をスロツト単位に区分けし、そのスロツト単位に区分けされた情報ビツト系列をこの複数のサブキヤリアに分散させて重畳し、いわゆる複数のキヤリアを使用して情報ビツトを同時に送信するマルチキヤリア通信を行うようになされている。
【００２８】
変調回路１０はＤＱＰＳＫ変調処理を符号化ビツト群Ｓ１に対してそれぞれ施し、その結果得られる送信シンボル群Ｓ２を続く逆高速フーリエ変換回路１１に入力する。
【００２９】
逆高速フーリエ変換回路１１は、送信シンボル群Ｓ２を構成する各シンボルを上述した24本のサブキヤリアに分散させて重畳するため（すなわち送信シンボル群Ｓ２の各シンボルを周波数軸上に並べて送信するため）、当該送信シンボル群Ｓ２に対してそれぞれ逆フーリエ変換を施す。これにより時間軸上に並んで入力されたシンボル群を周波数軸上において並べたような信号が生成される。
【００３０】
また逆高速フーリエ変換回路１１は、このような逆フーリエ変換処理に先立つて送信シンボル群Ｓ２に対して窓かけ処理いわゆるウインドウ処理を施し、これにより不要な帯域外スプリアスを抑えるようにもなつている。なお、ウインドウ処理の具体的方法としては、送信シンボル群Ｓ２に対して時間軸上でコサイン・ロールオフ・フイルタをかけることにより実現される。かくしてこのような逆高速フーリエ変換回路１１の処理によつて生成される送信シンボル群Ｓ３は続く信号繰返し回路１２に出力される。
【００３１】
図４に示すように、信号繰返し回路１２は逆フーリエ変換回路１１より入力されるコントロールチヤネル信号ＳCCH の送信シンボル群Ｓ２を２タイムスロツトに亘つて２つ続けて繰り返すようにし、さらに各タイムスロツトのガードタイムに相当するコントロールチヤネル信号ＳCCH の初めの部分をタイムスロツトの最後に付けることによつて、コントロールチヤネル信号ＳCCH の制御シンボル系列を生成し、これを次段の送信回路１３に出力する。
【００３２】
送信回路１３は、送信シンボル群Ｓ４にフイルタリング処理を施した後、当該送信シンボル群Ｓ４にデイジタル・アナログ変換処理を施して送信信号を生成し、当該送信信号に周波数変換を施すことによつて所定周波数チヤネルの送信信号Ｓ５を生成し、これを所定電力に増幅した後、アンテナ１４を介して送信する。かくして送信回路１３においては２タイムスロツト連続するコントロールチヤネル信号ＳCCH を自局に割り当てられたタイムスロツトの送信タイミングのときに同期してコントロールチヤネルＣＣＨを通じてマルチキヤリア送信する。
【００３３】
この場合、受信側である携帯電話機３においては送信側の基地局装置２から送信されるコントロールチヤネル信号ＳCCH を復調するにあたつて少なくとも１周期分のコントロールチヤネル信号ＳCCH が必要となるが、２タイムスロツトに亘つてコントロールチヤネル信号ＳCCH が送信されることにより、たとえ受信側において受信タイミングが一致せずに受信シンボル列に位相の旋回成分が乗ぜられるようなときにおいても、通常のタイミングでウインドウ処理を施せば２タイムスロツトの中で必ず１タイムスロツト分のコントロールチヤネル信号ＳCCH を受信することができるようになされている。
【００３４】
これにより受信側の携帯電話機３ではランダムアクセスチヤネルによつて受信するコントロールチヤネル信号ＳCCH を受信するときに、従来のように微小時間毎にウインドウ処理を行つて信号の復調処理を試みる必要がなくなり、送受信間で同期している通常のメツセージと同様に周期的に復調処理を行うだけで確実にコントロールチヤネル信号ＳCCH を受信して復調することができるので、無駄な復調処理を施さずに済み、処理量を大幅に削減し得る。
【００３５】
（１−３）受信装置の構成
この項目は携帯電話機３に設けられる受信装置８の構成について説明する。
【００３６】
図５に示すように、受信装置８は大きく分けて受信回路１５、高速フーリエ変換回路（ＦＦＴ）１６及び復調回路１７によつて構成され、送信装置４から送信された送信信号Ｓ５を受信し、その結果得られる受信信号Ｓ６を受信回路１５に入力するようになされている。
【００３７】
受信回路１５は入力される受信信号Ｓ６を増幅した後、当該受信信号Ｓ６に周波数変換を施すことによつてベースバンド信号を取り出し、そのベースバンド信号にフイルタリング処理を施した後、利得制御を施したベースバンド信号に対してアナログ・デイジタル変換処理を施すことによつてＤＱＰＳＫ変調された状態のデイジタル信号の受信シンボル群Ｓ７を生成し、これを高速フーリエ変換回路（ＦＦＴ）１６に出力する。
【００３８】
高速フーリエ変換回路１６は、入力される受信シンボル群Ｓ７に窓かけ処理、いわゆるウインドウ処理を施すことにより１スロツト分の信号成分を取り出し、その取り出した信号成分に対してフーリエ変換を施す。これにより周波数軸上に並んで取り出されたシンボル群を時間軸上に並べて取り出すことができる。さらにこの高速フーリエ変換回路１６におけるフーリエ変換処理の後、コントロールチヤネル信号ＳCCH をトラフイツク・チヤネルの信号と分離して時間軸上に並べられたコントロールチヤネルのシンボル群Ｓ８を次段の復調回路１７に出力する。因みに、高速フーリエ変換回路１６は、時間軸上で受信シンボル群Ｓ７に対してコサイン・ロールオフ・ウインドウをかけることにより窓かけ処理を行うようになされており、これによりスロツト内のシンボル間干渉を抑えることができるようになされている。
【００３９】
復調回路１７は、ＤＱＰＳＫ復調回路２０において受信シンボル群Ｓ８に対してそれぞれ送信側で行つたＤＱＰＳＫ変調に対応する差動４相復調処理を施すことにより、当該受信シンボル群Ｓ８を復調し、これを後段の受信電力測定回路２１に出力する。さらにこの受信電力測定回路２１には受信回路１５より利得制御を施す前のＲＦ（Radio Frequency)信号の受信信号電力Ｓ９が入力される。
【００４０】
受信電力測定回路２１は、スロツト単位で入力される受信シンボル群Ｓ８のなかから希望波信号成分を取り出すと共に、希望波信号成分に対する雑音成分を抽出して、これら希望波信号成分及び雑音成分それぞれの電力比を求めて、当該電力比によつて受信信号電力Ｓ９のうち希望波信号成分の電力値を算出するようになされている。
【００４１】
（１−４）復調回路の構成
次に図６を用いて復調回路１７の構成を具体的に説明する。図６に示すように、復調回路１７には高速フーリエ変換回路１６からスロツト単位で複素信号の符号化ビツト群からなる受信シンボル群Ｓ８が入力される。復調回路１７はまず、受信シンボル群Ｓ８をＤＱＰＳＫ復調回路２０を構成する乗算器３０及び遅延回路３１にそれぞれ入力する。乗算器３０は、逆高速フーリエ変換回路１１から入力される受信シンボルＳ８と遅延回路３１から出力される１シンボル分遅延した受信シンボルＳ１２の共役値（図中、＊によつて示す）とを複素乗算することにより受信シンボルＳ１３を取り出す。但し、この乗算処理によつて取り出される受信シンボルＳ１３はＱＰＳＫ変調された状態のシンボル情報である。
【００４２】
また乗算器３０によつて取り出された受信シンボルＳ１３は受信電力測定回路２１の乗算器３２に入力され、当該乗算器３２において受信シンボルＳ１３とリフアレンス記憶回路（Ｒｅｆ）３３より読み出されるリフアレンスＳref の共役値と複素乗算が行われ、これにより受信シンボルＳ１３をリフアレンスＳref で割つた値が求められる。
【００４３】
因にリフアレンスＳref の情報は予めコントロールチヤネルＣＣＨを通じて基地局装置２より送信されるコントロールチヤネル信号ＳCCH の振幅及び位相の情報である信号コンステレーシヨンの予測値である。すなわちリフアレンスＳref は送信側からコントロールチヤネルＣＣＨを通じて送信するコントロールチヤネル信号ＳCCH と同じシンボルであり、その振幅値は「１」で位相値はコントロールチヤネル信号ＳCCH と一致している。従つて乗算器３２における割り算処理は原理的には受信した受信シンボルＳ１３の位相値を「０」に戻す処理に相当しており、従つて乗算器３２から出力されるシンボル群Ｓ１４は振幅値が「１」で位相値がすべて「０」のシンボルとなるはずである。
【００４４】
しかしながら実際にはノイズやフエージング、干渉波の影響、あるいは高速フーリエ変換回路１６における窓かけ処理のずれ等により受信シンボル群Ｓ８には雑音成分が含まれており、受信した受信シンボル群Ｓ８が送信されたコントロールチヤネル信号ＳCCH のシンボル情報に完全に一致することはない。このため乗算器３２から出力されるシンボル系列Ｓ１４も完全に振幅値が「１」で位相値が「０」のシンボルになることはない。
【００４５】
このことから逆に乗算器３２から出力されるシンボル系列Ｓ１４を観測することによつて図７に示すように、シンボル系列の情報分の位相θ１の位相オフセツトθ２を検出して、受信シンボル群Ｓ８に重畳されるノイズやフエージング等の伝送路の特性や干渉波等の影響、あるいは窓かけ処理のずれ等を推定することができる。
【００４６】
乗算器３２はシンボル系列Ｓ１４を次段の第１の加算器３４に出力する。第１の加算回路３４は入力されるシンボル系列Ｓ１４を１スロツト分累積加算し、１スロツト分の加算処理が終了すると、その累積加算値Ｓ１４Ａを振幅正規化回路（Ａｒｇ）３５に出力する。Ａｒｇ３５は入力されるシンボル系列Ｓ１４Ａの複素数値の位相を保持して振幅を「１」とした位相オフセツト成分をもつ位相情報Ｓ１１を生成し、これを制御装置９（図２）に出力する。このようにＡｒｇ３５において受信シンボル系列Ｓ１４Ａから受信シンボル群Ｓ８がもつ位相オフセツトを検出するようにしたことにより、位相オフセツトをスロツト単位で正確に検出し得る。
【００４７】
制御装置９は入力される位相情報Ｓ１１について数スロツト分の平均値を算出して、これを位相オフセツト情報として携帯電話機３における送受信タイミングを調整するようになされている。
【００４８】
すなわち制御装置９は受信装置８で測定した基地局装置２からの送信信号Ｓ５の位相旋回成分の位相情報Ｓ１１をもとに送受信タイミングの時間ずれを算出してこれをもとに時間ずれをタイムアライメントするようになされている。例えば図８に示すように、携帯電話機３における基地局装置２Ａからの送信信号の受信タイミングに伝搬遅延（Ａ／２）分の時間ずれがある場合、送受信タイミングの時間ずれのタイムアライメントは携帯電話機３から基地局装置２Ａへの送信タイミングを受信及び送信の往復があることを考慮にいれて片道の伝搬遅延（Ａ／２）の倍の時間Ａ分早めることによつて行われる。
【００４９】
またこのとき同時に携帯電話機３において、別の基地局装置２Ｂからの送信信号に対する受信タイミングに伝搬遅延Ｘ分の時間ずれがある場合、携帯電話機３及び基地局装置２Ｂ間の送受信タイミングのタイムアライメントは、携帯電話機３から基地局装置２Ａへの送信タイミングを伝搬遅延（Ａ／２）及び伝搬遅延Ｘの合計を２倍した時間（Ａ＋２Ｘ）分早めることによつて行われる。かくして受信信号Ｓ６のもつ位相旋回成分の情報をもとに送受信タイミングのタイムアライメントが容易になし得る。
【００５０】
一方、復調回路１７において（図６）、遅延回路３１から出力される受信シンボルＳ１２は受信電力測定回路２１の乗算器３６にも入力され、当該乗算器３６でリフアレンス記憶回路３３より読み出されるリフアレンスＳref の共役値と複素乗算される。この結果、受信シンボルＳ１２の位相値を「０」に戻すと共に、振幅値が「１」になるように想定されるシンボル系列Ｓ１５を生成して、これを減算器３７に出力する。
【００５１】
ここで減算器３７においては実際に受信される受信シンボルＳ８と位相値を「０」に戻すと共に、振幅値が「１」になるように想定されるシンボル系列Ｓ１５との間で減算処理が行われる。この減算処理の結果、差分値として得られるシンボル系列Ｓ１６の信号成分は受信シンボルＳ８に含まれる雑音成分とその１シンボル分前の受信シンボルに含まれる雑音成分とを合わせた雑音成分となつている。減算器３７はこのようにして得られるシンボル系列Ｓ１６を第１の２乗回路３８に出力する。
【００５２】
第１の２乗回路３８は入力されるシンボル系列Ｓ１６に対してシンボル毎に信号成分の振幅を２乗することによりシンボル系列Ｓ１６の雑音電力Ｓ１７を求め、これを第２の加算回路３９に出力する。第２の加算回路３９は第１の２乗回路３８から入力される各シンボルの雑音電力Ｓ１７について、差動変調であるため先頭シンボルを除く全てのシンボル系列の雑音電力Ｓ１７を累積加算することにより、１スロツトを構成する全てのシンボルの雑音電力を合計した雑音電力Ｓ１８を算出し、これを次段の１／ｘ回路４０に出力する。
【００５３】
１／ｘ回路４０は１スロツト分の雑音電力Ｓ１８を１スロツトあたりのシンボル数ｘによつて割り算することにより２シンボル分の平均の雑音電力Ｓ１９を算出して、当該雑音電力Ｓ１９を次段の減算器４１に出力する。この減算器４１には位相成分抽出部２１Ａから各シンボルの位相成分Ｓ２０が入力され、減算器４１においてこの位相成分電力Ｓ２０と雑音電力Ｓ１９とを減算処理することにより位相旋回成分の電力が取り除かれた１シンボル分の雑音電力Ｓ２１を取り出すことができる。
【００５４】
ここで受信シンボル系列Ｓ８の位相成分を抽出する位相成分抽出部２１Ａについて説明する。位相成分抽出部２１Ａはまず、第１の加算器３４より入力される受信シンボル系列Ｓ１４Ａの１スロツト分の累積加算結果を１／ｘ回路４２に出力して、受信シンボル系列Ｓ１４Ａを１スロツトのシンボル数ｘによつて割り算することにより１シンボル分の平均の受信シンボル系列Ｓ２２の値を算出して、これを振幅算出回路４３及び減算器４４にそれぞれ入力する。
【００５５】
振幅算出回路４３は入力される受信シンボル系列Ｓ２２を各シンボル毎に２乗した後、当該２乗値の平方根を求めることにより、振幅を受信シンボル系列Ｓ２２の各シンボルと同じくすると共に、その位相成分が「０」の値をもつ振幅成分Ｓ２３を生成して、この振幅成分Ｓ２３を減算器４４に出力する。減算器４４は受信シンボル系列Ｓ２２と振幅成分Ｓ２３との減算処理を実行することにより、２シンボル単位の位相旋回成分Ｓ２４を生成して、当該位相旋回成分Ｓ２４を電力算出回路４５に出力するようになされている。
【００５６】
電力算出回路４５は位相旋回成分Ｓ２４の値を２乗してその平方根をとることにより当該位相旋回成分Ｓ２４の位相電力Ｓ２０を算出し、これを減算器４１に出力する。これにより受信シンボル系列Ｓ１４Ａのベクトル加算された値から差動復調により２シンボル分の平均の電力を求めて減算器４１に出力することができる。
【００５７】
減算器４１においては上述したように１／ｘ回路４０より雑音電力Ｓ１９が、また位相成分抽出回路２１Ａより位相電力Ｓ２０がそれぞれ入力され、これら雑音電力Ｓ１９及び位相電力Ｓ２０の減算処理を実行することにより、位相旋回成分を除いた２シンボル分（差動復調を行つているため累積加算によつて初めのシンボル分が加わつているため）の雑音電力Ｓ２１を求めるようになされている。
【００５８】
このように減算器４１より出力される雑音電力Ｓ２１は１シンボルにおける雑音成分電力の２倍の値になつているので、雑音電力Ｓ２１を１／２回路４６を介して２分の１倍することにより、１シンボル分の雑音電力Ｓ２５を算出して、これを次段の減算器４７に出力する。このように受信シンボル系列Ｓ８の雑音電力Ｓ２１を雑音電力Ｓ１９から位相電力Ｓ２０を差し引いて求めるようにしたことにより、受信シンボル系列Ｓ８に含まれる位相旋回成分を除いた雑音成分のみの電力値を正確に検出し得る。
【００５９】
また復調回路１７は一方において、高速フーリエ変換回路１６より供給される受信シンボル系列Ｓ８をＤＱＰＳＫ復調せずに直接、受信電力測定回路２１の第２の２乗回路４８に入力するようになされている。この場合、第２の２乗回路４８は受信シンボル系列Ｓ８の振幅を２乗することにより受信シンボル系列Ｓ８の各シンボル毎の信号電力Ｓ３０を求め、この信号電力Ｓ３０を第３の加算回路４９に出力する。第３の加算回路４９は第２の２乗回路４８から入力される受信シンボル系列Ｓ８の各シンボルの信号電力Ｓ３０を累積加算することにより、１スロツトを構成する全てのシンボルの信号電力を合計した信号電力Ｓ３１を求め、これを１／ｘ回路５０に出力する。
【００６０】
１／ｘ回路５０は受信シンボル系列Ｓ８の１スロツトあたりのシンボル数ｘを用いて１シンボル分の平均の信号電力Ｓ３２を算出し、これを減算器４７及び逆数算出回路（ｉｎｖ）５１にそれぞれ出力する。因みに、この信号電力Ｓ３２は受信シンボルＳ８の信号成分及び雑音成分の電力を合わせた信号電力となつている。
【００６１】
ここで減算器４７は、１／２回路４６から入力される受信シンボル系列Ｓ８の１シンボル分の雑音電力Ｓ２５と１／ｘ回路５０より入力される受信シンボル系列Ｓ８の１シンボル分の信号電力Ｓ３２との減算処理を実行する。これにより雑音電力Ｓ２５を取り除いた受信シンボル系列Ｓ８の信号成分のみの信号電力Ｓ３３のみを算出して、これを次段の乗算器５２に出力する。
【００６２】
一方、乗算器５２には逆数算出回路５１より信号成分の電力と雑音成分の電力とを合わせた信号電力Ｓ３２の逆数Ｓ３４が入力され、この逆数Ｓ３４と信号電力Ｓ３３とを乗算することによつて、次式、
【００６３】
【数１】
0003821331.tif 000002
【００６４】
のように、１シンボル単位で信号電力（Ｓ）に対する信号電力（Ｓ）及び雑音電力（Ｎ）を加算した値との比、すなわち信号対雑音電力比Ｓ３５（Ｓ／Ｓ＋Ｎ）を算出する。さらに乗算器５２より信号対雑音電力比Ｓ３５を乗算器５３に出力して、受信回路１５より入力される利得制御を施す前の段階のＲＦ信号の受信信号電力Ｓ９と乗算することにより、受信信号電力Ｓ９の信号成分のうち信号成分のみの受信信号電力Ｓ１０を算出することができる。すなわち受信信号電力Ｓ９をＰ１、受信信号電力Ｓ１０をＰ２としたとき次式、
【００６５】
【数２】
0003821331.tif 000003
【００６６】
によつて受信信号電力Ｓ１０を算出する。
【００６７】
かくして受信信号Ｓ６のうち希望波の信号成分のみの受信電力を求めることができ、これを後段の制御装置９に出力することによつて、基地局装置２からの送信信号Ｓ５の送信時の送信信号電力Ｐ０を用いて次式、
【００６８】
【数３】
0003821331.tif 000004
【００６９】
によつて受信信号電力Ｐ２及び送信信号電力Ｐ０の比から受信信号のパスロスＬ０を測定することができる。なお受信信号電力Ｓ１０の値は制御装置９において複数スロツト分の値から平均値がとられ、この受信信号電力Ｓ１０及び又はパスロスＬ０は送信装置７によつて基地局装置２に送信されるようになされている。かくして移動局である携帯電話機３において算出した受信信号の電力値及び又はパスロスＬ０をもとに基地局装置２は、携帯電話機３が受信すべき最適な基地局装置を高い精度で探し出し、迅速かつ的確なハンドオフを実行することができる。
【００７０】
（１−５）第１の実施の形態の動作及び効果
以上の構成において、基地局装置２は送信装置４より移動局に対して受信電力を測定するための制御データとしてコントロールチヤネル信号ＳCCH を所定のコントロールチヤネルＣＣＨを通じて送信信号Ｓ５として時分割で所定の送信タイミングによつて送信する。これに対して携帯電話機３は受信装置８によつて時分割された所定の受信タイミングでコントロールチヤネル信号ＳCCH を受信する。ここで基地局装置２より送信されるコントロールチヤネル信号ＳCCH は１変調時間分のコントロールチヤネル信号ＳCCH を少なくとも２タイムスロツトに亘つて繰り返されており、これにより受信側である携帯電話機３において通常のタイミングでウインドウ処理を施せば、受信側ではたとえ受信タイミングが一致せずに受信シンボル列に位相の旋回成分が乗ぜられるようなときにおいても１周期分のコントロールチヤネル信号ＳCCH を確実に受信することができる。
【００７１】
携帯電話機３は受信装置８によつて送信信号Ｓ５を受信すると、これを受信信号Ｓ６として受信回路１５において周波数変換、フイルタ処理及びアナログ・デイジタル変換処理して受信シンボルＳ７として取り出し、さらに受信シンボルＳ７に対して高速フーリエ変換を施すことによつて時間軸上に並んだ受信シンボルＳ８を取り出す。
【００７２】
この場合、伝送路上での干渉波等のノイズ成分の重畳、フエージング、あるいは高速フーリエ変換における窓かけ処理のずれ等によつて受信信号Ｓ６には時間ずれが生じると、これにより信号の送受信タイミングがずれる場合がある。このような時間のずれはフーリエ変換によつて復調されたシンボルにおいて位相旋回として現れる。そこで受信側においては受信シンボルＳ８を復調して取り出した受信シンボルＳ１３をリフアレンス記憶回路３３より読み出されるコントロールチヤネル信号ＳCCH のリフアレンスＳref の共役値と複素乗算することによつてリフアレンスＳref の情報分の位相θ１に対して位相オフセツトθ２がのつた受信シンボルＳ１４を得ることができる（図７）。
【００７３】
このようにして得た受信シンボル系列Ｓ１４を振幅正規化回路３５において振幅正規化処理することによつて振幅を正規化した位相旋回成分の位相情報Ｓ１１を１スロツト単位で生成し得る。この位相情報Ｓ１１を後段の制御回路に送出することにより、位相情報Ｓ１１をもと新たに受信した受信信号Ｓ６を送信する基地局装置２との送受信タイミングをタイムアライメントして送受信することができる。
【００７４】
また、復調した受信シンボルＳ１２をリフアレンスＳref の共役値と複素乗算して得られるシンボル系列Ｓ１５を実際に受信した干渉波等の雑音成分を含んだ受信シンボルＳ８との間で減算処理することによつて、受信シンボルＳ８の雑音成分Ｓ１６のみを算出することができ、さらにこの雑音成分Ｓ１６の雑音電力Ｓ１９と、位相成分抽出部２１Ａによつて求められる位相旋回成分の位相電力Ｓ２０との減算処理によつて位相旋回成分の電力が引かれた雑音電力Ｓ２１を取り出して１／２回路４６において差動復調により得られた２シンボル分の雑音電力Ｓ２１を２分の１にすることにより１シンボル分の雑音電力２５を算出し得る。
【００７５】
さらに雑音電力Ｓ２５を受信シンボルＳ８の信号成分及び雑音成分の電力とを合わせた信号電力Ｓ３２から減算することにより、受信シンボルＳ８から雑音成分の電力を除いた信号電力Ｓ３３を求めることができ、この信号電力Ｓ３３と雑音成分の電力を含む受信シンボルＳ８の信号電力Ｓ３２の逆数Ｓ３４とから１スロツトにおける信号電力に対する信号電力と雑音電力とを合わせた雑音電力との比、すなわち信号対雑音電力比Ｓ３５を生成することができる。このようにして得られる信号対雑音電力比Ｓ３５を受信回路１５より出力されるＲＦ信号の受信信号電力Ｓ９と乗算することにより、受信信号Ｓ６のうち雑音成分の電力分を除いた希望波の信号成分のみの受信信号電力Ｓ１０を得ることができる。
【００７６】
さらに携帯電話機３は受信信号電力Ｓ１０を複数スロツト分の平均値から求め、これによりスロツト間の大小を平均化した安定した受信信号電力及びパスロスを求めることができる。そしてこのようにして算出された受信信号電力及びパスロスは送信装置８によつて基地局装置２に通知され、かくして基地局装置２は移動局において求められた受信信号電力Ｓ１０及び又はパスロスＬ０に基づいて移動局のハンドオフ先を迅速かつ的確に選択することができる。
【００７７】
以上の構成によれば、伝送路上での干渉波等のノイズ成分の重畳、フエージング、あるいは高速フーリエ変換における窓かけ処理のずれ等によつてコントロールチヤネル信号ＳCCH の受信信号Ｓ６に生じる時間ずれによつて生じる位相旋回を、受信信号Ｓ６から復調した受信シンボルＳ１３とリフアレンス記憶回路３３より読み出されるリフアレンスＳref の共役値との複素乗算によつて検出するようにしたことにより、この位相旋回情報に基づいて送信信号Ｓ５を送信する基地局装置２との送受信タイミングの時間ずれをタイムアライメントして通信することができる。
【００７８】
また受信シンボルＳ８の位相旋回による雑音電力Ｓ２０を位相成分抽出部２１Ａによつて求め、さらに雑音電力Ｓ１９から位相旋回による雑音成分を除いた雑音電力Ｓ２１を求めて、これを信号電力Ｓ３２から引くことにより、受信シンボルＳ８の信号成分のみの信号電力Ｓ３３を算出することができ、これにより受信信号Ｓ８の正確な信号対雑音電力比Ｓ３５を生成することができる。これにより受信信号Ｓ６のうち雑音成分の電力分を除いた希望波信号の信号成分のみの受信信号電力Ｓ１０を高い精度で算出し得る。
【００７９】
さらに位相情報Ｓ１１に基づいて信号の送受信タイミングの時間ずれを即座にタイムアライメントし得ることにより、通信回線の同期を迅速になし得、かくして高い精度で求められる基地局装置２より送信される制御情報からなる送信信号Ｓ５の受信時のパスロスをもとに、基地局及び移動局間において迅速かつ的確なハンドオフを行うことができる。
【００８０】
（２）第２の実施の形態
（２−１）第２の実施の形態の構成
図５との対応部分に同一符号を付して示す図９において、６０は全体として第２の実施の形態による受信装置を示し、受信回路１５を介して入力される受信信号Ｓ６は高速フーリエ変換回路１６によつてフーリエ変換が施されると、続く復調回路６１によつて復調される。このとき復調回路６１においてはＤＱＰＳＫ復調回路６２による送信側の変調に応じたＤＱＰＳＫ復調と共に、受信電力測定回路６３によつてコントロールチヤネルＣＣＨを通じて各基地局から送信されるコントロールチヤネル信号ＳCCH の受信電力Ｓ４０及びコントロールチヤネル信号ＳCCH の位相情報Ｓ１１を検出して次段の制御装置９（図２）に送出するようになされている。
【００８１】
図１０に示すように、第１の実施の形態の復調回路１７と同様に復調回路６１は高速フーリエ変換回路１６から供給される複素信号からなる受信シンボル系列Ｓ８をＤＱＰＳＫ復調回路６２において１シンボル前の受信シンボルＳ１２の共役値（図中＊によつて示す）と複素乗算することによりＱＰＳＫ変調された受信シンボルＳ１３を取り出す。
【００８２】
また乗算器３０によつて取り出された受信シンボルＳ１３を受信電力測定回路６３に出力することにより、第１の実施の形態の復調回路１７と同様にしてＡｒｇ３５において受信シンボルＳ８から位相旋回成分の位相情報Ｓ１１を算出して、これを後段の制御装置９（図２）に出力する。これにより受信シンボルＳ８がもつ位相旋回成分から送受信タイミングのずれを検出することができ、かくして第１の実施の形態と同様に乗算器３２から出力されるシンボル系列Ｓ１４を観測することによつて受信シンボル群Ｓ８に重畳されるノイズやフエージング等の伝送路の特性や干渉波等の影響、あるいは窓かけ処理のずれ等を推定することができる。
【００８３】
一方、受信シンボル系列Ｓ８は受信電力測定回路６３の電力算出回路６５にも出力され、当該電力算出回路６５で受信シンボルＳ８の信号電力Ｓ４２を算出する。さらに次段の加算器６６において信号電力Ｓ４２を１スロツト分累積加算して受信電力Ｓ４３を求め、これを逆数算出回路６７を介して逆数Ｓ４４として乗算器６８に出力する。ここで乗算器６８には加算器３４によつて累積加算された位相旋回成分Ｓ１４Ａが電力算出回路６９を介して位相成分電力Ｓ４５として入力される。乗算器６８においては受信シンボル系列Ｓ８の１スロツト分全ての信号電力Ｓ４３に受信シンボル系列Ｓ８の位相旋回による雑音成分の位相成分電力Ｓ４５を乗算し、この乗算結果を信号成分に対する位相旋回の雑音成分の相関値Ｓ４６として求める。この相関値Ｓ４６は相関値テーブル（ｃａｌｃ）７０に出力される。この相関値テーブル７０には、一方において受信回路１５から利得制御が施されていないＲＦ信号の受信信号電力Ｓ９が入力される。
【００８４】
相関値テーブル７０は受信電力値に対応して相関値Ｓ４９が記憶されており、これを変換テーブルとして、入力される受信信号電力Ｓ９と対応する相関値Ｓ４６からテーブル引きにより予測できる受信信号電力Ｓ４０を求めるようになされている。このようにして求められた受信信号電力Ｓ４０は後段の制御装置９に出力され、第１の実施の形態と同様にパスロスの計測に用いられる。
【００８５】
（２−２）第２の実施の形態の動作及び効果
以上の構成において、受信回路１５を介して所定のコントロールチヤネルＣＣＨを通じてコントロールチヤネル信号ＳCCH の受信タイミングで入力される受信信号Ｓ６は高速フーリエ変換回路１６においてフーリエ変換が施された後、次段の復調回路６１において受信シンボルＳ１３に復調される。この受信シンボルＳ１３は受信電力測定回路６３において、リフアレンス記憶回路３３から読み出されるリフアレンスＳref と複素乗算され、これにより受信シンボルＳ１３の位相旋回分の位相旋回成分Ｓ１４を得ることができる。
【００８６】
復調回路６１ではこのようにして得られる位相旋回成分Ｓ１４を累積加算し、振幅を正規化したた１スロツト分の位相情報Ｓ１１をもとにコントロールチヤネル信号ＳCCH の送受信タイミングのずれを検出することができ、かくして第１の実施の形態と同様にコントロールチヤネル信号ＳCCH の送信信号Ｓ５を送信する基地局装置２との間で送信信号Ｓ５に重畳されるノイズやフエージング等の伝送路の特性や同じチヤネルで送信される干渉波等の影響、あるいは窓かけ処理のずれ等による送受信タイミングのずれをタイムアライメントすることができる。
【００８７】
このとき同時に受信シンボル系列Ｓ８は受信電力測定回路６３の電力算出回路６５にも出力され、ここで受信シンボルＳ８の信号電力Ｓ４２が算出される。さらにこの信号電力Ｓ４２の１スロツト分にあたる受信電力Ｓ４３を求めて、この受信電力Ｓ４３の逆数Ｓ４４と電力算出回路６９を介して得られる位相成分電力Ｓ４５と乗算することにより、受信シンボル系列Ｓ８の雑音成分を含めた全信号成分に対する位相旋回の雑音成分の相関値Ｓ４６を求めることができる。
【００８８】
ここで相関値Ｓ４６をもとに相関値テーブル７０に入力されるＲＦ信号の受信信号電力Ｓ９の位相旋回による雑音分を考慮した受信信号電力Ｓ４０をテーブル引きにより求める。これにより受信信号電力Ｓ４０を用いてパスロスの計測を行うことができ、かくして第１の実施の形態と同様の効果をより簡易な構成によつて得ることができる。
【００８９】
以上の構成によれば、位相情報Ｓ１１をもとにコントロールチヤネル信号ＳCCH の送受信タイミングのずれを検出することができ、かくして第１の実施の形態と同様にコントロールチヤネル信号ＳCCH の送信信号Ｓ５を送信する基地局装置２との間で送信信号Ｓ５に重畳されるノイズやフエージング等の伝送路の特性や同じチヤネルで送信される干渉波等の影響、あるいは窓かけ処理のずれ等による送受信タイミングのずれをタイムアライメントして通信回線を同期させることができる。
【００９０】
さらに受信シンボル系列Ｓ８の１スロツト分にあたる受信電力Ｓ４３及び位相成分電力Ｓ４５を乗算することにより求めた相関値Ｓ４６をもとにＲＦ信号の受信信号電力Ｓ９の位相旋回による雑音分を考慮した受信信号電力Ｓ４０をテーブル引きにより求めるようにしたことによつて、受信信号Ｓ６の位相旋回成分による雑音成分を考慮した受信信号電力Ｓ４０を算出してパスロスの計測を行うことができ、かくして第１の実施の形態と同様の効果をより簡易な構成によつて得ることができる。
【００９１】
（３）他の実施の形態
なお上述の実施の形態においては、セルラー無線通信のTDMA方式による無線通信システムに本発明を適用した場合について述べたが、本発明はこれに限らず、一般に受信しようとする希望信号波に干渉波等が重畳するようなときに希望信号波電力に対する干渉波等による雑音電力の影響を評価する場合に広く適用し得、これにより上述の場合と同様の効果を得ることができる。
【００９２】
また上述の実施の形態においては、時分割多元接続方式でＤＱＰＳＫ変調及び復調した場合について述べたが、本発明はこれに限らず、例えば同期型の変調復調方式においても、送受信タイミングが合つているときにおいては受信シンボルＳ８及びリフアレンスＳref の複素乗算により受信シンボルから雑音成分を抽出して、さらに信号成分のみを取り出すことによつてＲＦ信号の受信電力を高精度で算出することができ、これにより上述の場合と同様の効果を得ることができる。
【００９３】
また上述の実施の形態においては、送信側の基地局装置２Ａ及び２Ｂの送信装置４から送信した送信信号の移動端末局である携帯電話装置３の受信装置８によつて受信する際の受信電力を測定するようにした場合について述べたが、本発明はこれに限らず、移動端末局側の送信装置７から送信される送信信号を基地局側の受信装置５によつて受信するときにその受信電力を測定する場合にも適用し得、これにより高精度で受信信号電力を測定することができるという効果を得ることができる。
【００９４】
さらに上述の第１の実施の形態においては、復調回路１７において加算器３４、３９及び４９によつて１スロツト分累積加算した電力値から１／ｘ回路４０、４２及び５０を用いてシンボル単位で希望波信号電力に対する雑音成分電力を求めるようにした場合について述べたが、本発明はこれに限らず、スロツト単位で希望波信号電力に対する雑音成分電力を求めるようにしても良く、これにより上述の場合と同様の効果を得ることができる。
【００９５】
また上述の実施の形態においては、複数のサブキヤリアに送信対象の情報を分散させて重畳し、その複数のサブキヤリアを送信する、いわゆるマルチキヤリア方式の無線通信システムに本発明を適用した場合について述べたが、本発明はこれに限らず、その他の通信方式であつても、上述のように振幅及び位相の信号情報が予め分かつている制御シンボルを受信し、当該制御シンボルの受信状態を復調回路１７又は６１によつてリフアレンスＳref と比較することによつて、雑音成分を抽出して受信電力を測定することによつて、上述の場合と同様の効果を得ることができる。
【００９６】
【発明の効果】
上述のように本発明によれば、送信装置から送信される制御情報の周波数チヤネルの送信時間及び周波数が各送信装置毎に専用に割り当てられていない通信環境の場合に、受信信号に含まれる位相旋回成分に基づいて送信装置と受信装置との間における送受信タイミングの調整を図ると共に、希望波成分だけの受信電力に基づいて通信接続先とする送信装置を高精度かつ的確に選択することができるので、当該選択した通信接続先の送信装置との間で良好な通信状態を維持し得る通信端末装置を実現することができる。
また本発明によれば、送信装置から送信される制御情報の周波数チヤネルの送信時間及び周波数が各送信装置毎に専用に割り当てられていない通信環境の場合に、受信信号に含まれる位相旋回成分に基づいて送信装置と受信装置との間における送受信タイミングの調整を図ると共に、相関算出により予測した位相旋回による雑音成分を考慮した受信電力に基づいて通信接続先とする送信装置を高精度かつ簡易に選択することができるので、当該選択した通信接続先の送信装置との間で良好な通信状態を維持し得る通信端末装置を実現することができる。
【図面の簡単な説明】
【図１】本発明によるセルラー無線通信システムの構成を示す略線図である。
【図２】本発明による基地局装置及び携帯電話機の構成を示すブロツク図である。
【図３】本発明の送信装置の構成を示すブロツク図である。
【図４】コントロールチヤネル信号の説明に供する略線図である。
【図５】第１の実施の形態による受信装置の構成を示すブロツク図である。
【図６】図５の復調回路の構成を示すブロツク図である。
【図７】位相オフセツトの説明に供する略線図である。
【図８】タイムアライメントの説明に供するタイミングチヤートである。
【図９】第２の実施の形態による受信装置の構成を示すブロツク図である。
【図１０】図８の復調回路の構成を示すブロツク図である。
【図１１】セルラー無線通信システムのチヤネル構成を示す略線図である。
【図１２】時分割通信によるセルラー無線通信システムのチヤネル構成を示す略線図である。
【符号の説明】
１……セルラー無線通信システム、２、２Ａ、２Ｂ……基地局装置、３……携帯電話機、４、７……送信装置、５、８……受信装置、６、９……制御装置、１０……変調回路、１１……逆高速フーリエ変換回路、１３……送信回路、１５……受信回路、１６……高速フーリエ変換回路、１７、６１……復調回路、２０、６２……復調回路、２１、６３……受信電力測定回路、３３……リフアレンス記憶回路。
【図１】
0003821331.tif 000005
【図２】
0003821331.tif 000006
【図３】
0003821331.tif 000007
【図４】
0003821331.tif 000008
【図５】
0003821331.tif 000009
【図６】
0003821331.tif 000010
【図７】
0003821331.tif 000011
【図８】
0003821331.tif 000012
【図９】
0003821331.tif 000013
【図１０】
0003821331.tif 000014
【図１１】
0003821331.tif 000015
【図１２】
0003821331.tif 000016